(57)【要約】【課題】安定した支持力を確保し、チップアンテナに所望のアンテナ放射パターンを生成させ、チップアンテナに占める回路板の空間的な領域を低減して小型化が図られるチップアンテナ接続装置を提供する。【解決手段】チップアンテナ接続装置１５０ｂの接続座１１０ｂは、複数のスロット１２０ｂを有している。スロット１２０ｂと接続座１１０ｂの底面との間には、異なる角度が形成される。そのため、チップアンテナ１４０ｂは、放射パターンに対応する角度によって、スロット１２０ｂへ差し込み位置が変更される。従って、チップアンテナ１４０ｂは、調整自由度が高められる。接続座１１０ｂは、回路板１３０ｂ上の電子ユニット１１４ｂとチップアンテナ１４０ｂとを接続するための接続回路１１２ｂを有する。各スロット１２０ｂは、チップアンテナ１４０ｂのフィーディング１１６ｂを接続するための接点１２２ｂを有する。【選択図】図１Ｂ
2008011333.tif 000002
【特許請求の範囲】
【請求項１】
回路板に設置され、前記回路板に設けられている電子スロットを接続する接続回路を有する接続座と、
前記接続座に配置され、チップアンテナを挿入可能であり、前記接続回路を経由して前記チップアンテナと前記電子ユニットとを互いに接続する少なくとも一つのスロットと、
を備えるチップアンテナ接続装置。
【請求項２】
前記スロットは、前記チップアンテナのフィーディングを接続する接点を有する請求項１に記載のチップアンテナ装置。
【請求項３】
前記スロットと前記接続座の底面との間には、所定の角度が形成されている請求項１に記載のチップアンテナ装置。
【請求項４】
前記スロットと前記底面との間に形成される角度は、前記チップアンテナの放射パターンに対応する請求項３に記載のチップアンテナ装置。
【請求項５】
前記スロットと前記底面との間に形成される角度は、前記チップアンテナの周波数応答に対応する請求項３に記載のチップアンテナ装置。
【請求項６】
前記スロットは、挿入される前記チップアンテナと前記回路板との間に間隔を形成する請求項１に記載のチップアンテナ装置。
【請求項７】
前記スロットは、前記チップアンテナを前記電子ユニットより高い位置に配置する請求項１に記載のチップアンテナ装置。
【請求項８】
前記接続座は複数の前記スロットを有し、
前記スロットと前記チップアンテナが挿入される前記接続座の底面との間には、複数の角度が形成される請求項１に記載のチップアンテナ装置。
【請求項９】
前記スロットと前記接続座の底面との間の角度を調整可能な回転つまみを備える請求項１に記載のチップアンテナ装置。
【請求項１０】
前記スロットは、固定式スロットまたは着脱可能なスロットである請求項１に記載のチップアンテナ装置。
【発明の詳細な説明】
【技術分野】
【０００１】
本発明はチップアンテナ接続装置に関し、詳しく言えば回路板上に装着され、チップアンテナが接続可能なチップアンテナ装置に関する。
【背景技術】
【０００２】
無線通信産業の急速な発展にともない、携帯電話、コンピュータまたはネットワークなどの電子設備が無線通信により信号を伝送する機能を備えつつある。主に信号を発信したり受信したりする設備となる無線通信は、信号送受信器とこれに装着されるアンテナとから構成される。将来的に無線通信では、高性能なアンテナは欠かせない部品となり、かつアンテナの製造コストを削減し、軽量化、薄型化、短小型化を実現させる設計の要求に応えるため、従来のアンテナ（ロッドアンテナ、八木アンテナ、パラボラアンテナなど）が新時代の要求を満足させることは困難になりつつある。これに対し、近年、無線通信に関わる製品は小型化を促進する方向へ発展している。特に、近年研究開発されてきたアンテナの一つであるチップアンテナは、将来的に無線通信の発展に役立つと考えられている。
【０００３】
チップアンテナと回路板の間との接続法、例えば導電接着剤による接続法や、直接に押したりはんだ付けしたりする接続法などは、アンテナ製造技術のうちの重要な鍵である。特に、はんだ付けによりチップアンテナと回路板とを接続するのは一般的である。このような接続法の場合、溶接が確実であり、溶接の際に電流を良好に制御することが可能であれば、接続効果は向上する。しかしながら、溶接による接続方法は制御しなければならない要素が多いだけでなく、確実な溶接が困難であり、溶接にずれが生じるという製造工程上の欠陥を起こしやすい。
【０００４】
一方、直接に押して接着したり、はんだ付け法によりチップアンテナと回路板とを接続する場合、回路板の上に空域を保留する必要がある。そのため、回路板に無用な空間を占用するだけでなく、小型化を妨げる要因となる。また、これにより得られたアンテナ放射パターンは、固定されるため、変更したり調整したりすることは困難である。また溶接によりチップアンテナを直立するように回路板の上に接続する場合、チップアンテナと回路板との間を安定して支持することが困難である。その結果、製造工程が非常に煩雑になるとともに、信頼性が低下するという問題がある。
【０００５】
また小型アンテナの特性を改善するために、放射パターン（Radiation Pattern）を形成する周知の技術では、板状逆Ｆアンテナ（Planar Inverted-F Antenna：ＰＩＦＡ）の構造をもとにしてアンテナの体積を縮小を図っている。しかし、このような板状逆Ｆアンテナは、回路板上の相当の空間的な領域を必要とする。
【発明の開示】
【発明が解決しようとする課題】
【０００６】
従って、チップアンテナと回路板との間を接続する技術を改善し、周知のはんだ付けによる接続のように安定した支持が得られないという問題を解決する必要がある。またチップアンテナから生成された放射パターンを、必要に応じて調整することを可能にすれば回路板の空間的な領域が低減され、小型化が促進される。
【０００７】
本発明の主な目的は、チップアンテナと回路板とを接続する際に、安定した支持力を確保し、チップアンテナに所望のアンテナ放射パターンを生成させ、チップアンテナに占める回路板の空間的な領域を低減して小型化が図られるチップアンテナ接続装置を提供することである。
【課題を解決するための手段】
【０００８】
本発明のチップアンテナ接続装置は、接続座とスロットとを備える。接続座は回路板上に配置され、かつ回路板上の電子ユニットを接続するための接続回路を有する。少なくとも一つのスロットは、チップアンテナを差し込むことを可能にするように接続座に配置される。そのため、チップアンテナは接続装置を介して回路板の電子ユニットと互いに接続することが可能である。
【０００９】
本発明の他の目的は、回路板上にチップアンテナを接着による接続する接続装置を提供し、チップアンテナを容易に立体化し、チップアンテナに必要な回路板の空間的な領域を低減させる。また回路板が接地面を有する場合、接続装置は回路板と接地面の接続関係により異なる応用に応じチップアンテナと接地面との間の角度を調整し、所望のチップアンテナ周波数と放射パターンを得ることが可能である。従って製造コストを削減し、チップアンテナの立体化を容易に達成することが可能となる。
【００１０】
本発明の接続装置では、回路板、チップアンテナ、接続座およびスロットを備える。接続座は回路板の上に配置され、かつ回路板上の電子ユニットを接続するための接続回路を有する。スロットはチップアンテナを差し込むことを可能にするように接続座に配置される。そのため、チップアンテナは接続装置を介して回路板上の電子ユニットと互いに接続することが可能である。また回路板はチップアンテナの下方の相対的な位置に配置される接地面を有する。
【発明を実施するための最良の形態】
【００１１】
以下、本発明の複数の実施形態を図面に基づいて説明する。
（第１実施形態）
図１Ａは、本発明の第１実施形態によるチップアンテナ接続装置１５０ａを示す側面図である。チップアンテナ接続装置１５０ａは、接続座１１０ａ、接続回路１１２ａ、およびスロット１２０ａを備える。接続座１１０ａは、回路板１１４ａの上に配置される。接続座１１０ａは、回路板１３０ａ上の電子ユニット１１４ａを接続するための接続回路１１２ａを有する。少なくとも一つのスロット１２０ａは、チップアンテナ１４０ａを挿入可能に接続座１１０ａ上に配置される。そのため、チップアンテナ１４０ａは、接続回路１１２ａを経由して回路板１３０ａ上の電子ユニット１１４ａと互いに接続される。
【００１２】
スロット１２０ａは、チップアンテナ１４０ａのフィーディング１１６ａを接続するための接点１２２ａを有する。そのため、チップアンテナ１４０ａは、フィーディング１１６ａと接点１２２ａとの接続により信号を伝送可能である。一般的に言えば、チップアンテナ１４０ａは、その回路端部または任意の一部分をフィーディング１１６ａとして信号を伝送することも可能である。また、フィーディング１１６ａと接点１２２ａとは、互いに対応するようにチップアンテナ１４０ａおよびスロット１２０ａ上、例えばチップアンテナ１４０ａおよびスロット１２０ａの底部または側辺に配置される。また、チップアンテナ１４０ａの両側の接点１２２ａに対応する位置にフィーディング１１６ａを配置してもよく、スロット１２０ａの両側のフィーディング１１６ａに対応する位置に接点１２２ａを配置することによりスロット１２０ａにチップアンテナ１４０ａを差し込む方向を選択可能な構成としてもよい。
【００１３】
必要に応じて、スロット１２０ａの接点１２２ａをエッジコネクタ（Edge Connector）形状、針状（Pin）または他の形状に設計してもよい。また特定の状況下でチップアンテナ１４０ａとスロット１２０ａとの間の相対的な位置関係を確保するために、スロット１２０ａ上に欠け口を設けることにより、チップアンテナ１４０ａをスロット１２０ａに差し込み方向の錯誤を防止する構成としてもよい。
【００１４】
回路板１３０ａ上に平らに貼り付けられるチップアンテナ１４０ａは、回路板１３０ａ上の周辺の金属または機器が電磁放射によって干渉することを防止するため、チップアンテナ１４０ａの周囲に空間的な余裕を確保する必要がある。これに対し、本実施形態の場合、チップアンテナ１４０ａはスロット１２０ａにより立てられた状態で回路板１３０ａ上に配置される。そのため、チップアンテナ１４０ａと回路板１３０ａとの間には、間隔が形成される。その結果、チップアンテナ１４０の下方に広い空間的な余裕を確保する必要がない。従って、本実施形態のチップアンテナ接続装置１５０ａは、回路板１３０ａ上のチップアンテナ１４０によって占められる領域を確実に低減することができる。一方、チップアンテナ１４０ａは、チップアンテナ接続装置１５０ａによって回路板１３０ａ上に立ち上がって接続される。そのため、チップアンテナ１４０ａは、立体化が容易に達成される。これにより、チップアンテナ１４０ａの放射パターンが回路板１３０ａの周辺のユニットおよび金属から受ける影響は低減することができる。
【００１５】
（第２実施形態）
図１Ｂは、本発明の第２実施形態によるチップアンテナ接続装置１５０ｂを示す側面図である。チップアンテナ接続装置１５０ｂの接続座１１０ｂは、複数のスロット１２０ｂを有している。スロット１２０ｂと接続座１１０ｂの底面との間には、異なる角度が形成される。そのため、チップアンテナ１４０ｂは、要求する放射パターンに対応する角度によって、この要求する角度に対応するスロット１２０ｂへ差し込み可能である。従って、チップアンテナ１４０ｂは、調整自由度が高められる。また、接続座１１０ｂは、回路板１３０ｂ上の電子ユニット１１４ｂとチップアンテナ１４０ｂとを接続するための接続回路１１２ｂを有する。各スロット１２０ｂは、チップアンテナ１４０ｂのフィーディング１１６ｂを接続するための接点１２２ｂを有する。そのため、チップアンテナ１４０ｂは、接点１２２ｂを経由して信号を伝送可能である。
【００１６】
図１Ａおよび図１Ｂに示すチップアンテナ接続装置１５０ａ、１５０ｂの場合、スロット１２０ａ、１２０ｂに、角度を調整可能な回転つまみ（図中未表示）を増設可能である。回転つまみは、スロット１２０ａ、１２０ｂと、接続座１１０ａ、１１０ｂとの間、または接続座１１０ａ、１１０ｂと、回路板１３０ａ、１３０ｂとの間、に配置可能である。この場合、角度を調整する回転つまみは、スロット１２０ａ、１２０ｂを活動式スロットに変更してもよく、スロット１２０ａ、１２０ｂと接続座１１０ａ、１１０ｂの底面との間の角度を選択して調整可能である。
【００１７】
接続座１１０ａ、１１０ｂ上に配置されるスロット１２０ａ、１２０ｂは、固定式スロットまたは着脱可能なスロットである。例を挙げて説明すると、固定式スロットは接続座１１０ａ、１１０ｂ上にチップアンテナを直接固定可能である。これに対し、着脱可能なスロットは、接続座１１０ａ、１１０ｂにチップアンテナを容易に抜き差し可能であるとともに、繰り返して接続座１１０ａ、１１０ｂ上に差し込みを修正可能である。そのため、製品を軽量化・小型化し、実用性を高めることが可能となる。
【００１８】
（第３実施形態）
図１Ｃは、本発明の第３実施形態によるチップアンテナ接続装置１５０ｃを示す側面図である。スロット１２０ｃは適切な設計により接続座１１０ｃ上に配置される。スロット１２０ｃは、オフセット（Offset）により、チップアンテナ１４０ｃを回路板１３０ｃ上の電子ユニットより高く位置させる。このとき、チップアンテナ１４０ｃと回路板１３０ｃとの間の高さの差はｈ１であり、高さｈ１は電子ユニットの高さｈ２より大きい。このような配置方法により、チップアンテナ１４０ｃ下方における金属の存在が許容される。これは、上記の構成ではチップアンテナ１４０ｃの放射パターンが下方の金属による干渉を受けず、周辺のユニットに対する干渉が低減するからである。従って、チップアンテナ１４０ｃには、広い空間的な領域を確保する必要がない。例えば、チップアンテナ１４０ｃの下方に接地面を有する状態では、回路板１３０ｃ上に電子ユニットを配置することにより回路板１３０ｃ上のチップアンテナ１４０ｃに要求される領域が確実に低減される。したがって、製品をよりいっそう小型化することができる。
【００１９】
（適用例）
本発明の各実施形態は、チップアンテナを備える装置に適用することもできる。
図１Ａに示すように、チップアンテナを備える装置１００ａは、接続座１１０ａ、接続回路１１２ａ、スロット１２０ａ、回路板１３０ａ、およびチップアンテナ１４０ａを備えている。接続座１１０ａは、回路板１３０ａの上に配置される。また接続座１１０ａは、回路板１３０ａ上の電子ユニット１１４ａを接続するための接続回路１１２ａを有する。スロット１２０ａは、チップアンテナ１４０ａを挿入可能に接続座１１０ａ上に配置される。そのため、チップアンテナ１４０ａは、接続回路１１２ａを介して回路板１３０ａ上の電子ユニット１１４ａと互いに接続することができる。
【００２０】
図１Ｂに示すように、チップアンテナを備える装置１００ｂは、接続座１１０ｂ、接続回路１１２ｂ、スロット１２０ｂ、回路板１３０ｂ、およびチップアンテナ１４０ｂを備える。接続座１１０ｂは、回路板１３０ｂの上に配置される。また接続座１１０ｂは、回路板１３０ｂ上の電子ユニット１１４ｂを接続するための接続回路１１２ｂを有する。スロット１２０ｂは、チップアンテナ１４０ｂを挿入可能に接続座１１０ｂ上に配置される。そのため、チップアンテナ１４０ｂは、接続回路１１２ｂを介して回路板１３０ｂ上の電子ユニット１１４ｂと互いに接続することができる。
【００２１】
ここで、図１Ａおよび図１Ｂに示す装置において、接続座１１０ａ、１１０ｂ、スロット１２０ａ、１２０ｂ、回路板１３０ａ、１３０ｂ、およびチップアンテナ１４０ａ、１４０ｂの間の接続構造は、上述のチップアンテナ接続装置１５０ａ、１５０ｂについての記載において説明した。
以下、チップアンテナを備える装置１００ｂにおいて、チップアンテナ１４０ｂの中心周波数が２．４ＧＨｚである時、チップアンテナ１４０ｂの放射パターンと角度αとの間の関係について詳細に説明する。図１Ｂに示すように、本発明の第２実施形態では、スロット１２０ｂと接続座１１０ｂの底面との間に、角度α（例えば０°、４５°または９０°）が形成される。このとき、チップアンテナ１４０ｂの放射パターンは、スロット１２０ｂと接続座１１０ｂとの間の角度αに対応する。以下、角度αが０°、４５°または９０°となる場合、ＸＹ、ＸＺおよびＹＺなどの平面から生成された放射パターンについて説明する。
【００２２】
図２Ａ、図２Ｂおよび図２Ｃは、本発明の第２実施形態においてチップアンテナ１４０ｂと接続座１１０ｂの底面との間の角度αが０°、４５°または９０°となり、中心周波数が２．４ＧＨｚとなるとき、ＸＹ平面に生成された放射パターンを示す模式図である。図２Ｄ、図２Ｅおよび図２Ｆは本発明の第２実施形態においてチップアンテナ１４０ｂと接続座１１０ｂの底面との間の角度αが０°、４５°または９０°となり、中心周波数が２．４ＧＨｚとなるとき、ＸＺ平面に生成された放射パターンを示す模式図である。図２Ｇ、図２Ｈおよび図２Ｉは本発明の第２実施形態においてチップアンテナ１４０ｂと接続座１１０ｂの底面との間の角度αが０°、４５°または９０°となり、中心周波数が２．４ＧＨｚとなる場合、ＹＺ平面に生成された放射パターンを示す模式図である。
【００２３】
図２Ａから図２Ｉに示すように、チップアンテナを備える装置１００ｂにおいて、チップアンテナ１４０ｂの中心周波数が２．４ＧＨｚとなるとき、チップアンテナ１４０ｂから生成された放射パターンはチップアンテナ１４０ｂと接続座１１０ｂとの間の角度αの変化にともなって変化する。そして、チップアンテナゲイン（Antenna Gain）は、チップアンテナ１４０ｂと接続座１１０ｂとの間の角度αの変化にともなって変化することが判明した。チップアンテナゲインの単位はｄＢｉであり、この単位はチップアンテナ１４０ｂが特定方向に対し信号を発信したり受信したりする能力を示す。アンテナゲインが高ければ高いほど無線電波による交信範囲がよりいっそう良好になる。
【００２４】
図２Ａから図２Ｃにおいて、チップアンテナ１４０ｂと接続座１１０ｂとの間の角度αが０°、４５°または９０°と変化すると、チップアンテナゲインはそれぞれ０．４４ｄＢｉ、０．４１ｄＢｉ、−０．０１ｄＢｉとなる。図２Ｄから図２Ｆにおいて、チップアンテナ１４０ｂと接続座１１０ｂとの間の角度αが０°、４５°、９０°と変化すると、チップアンテナゲインはそれぞれ１．１２ｄＢｉ、１．０７ｄＢｉ、１．０３ｄＢｉとなる。図２Ｇから図２Ｉにおいて、チップアンテナ１４０ｂと接続座１１０ｂとの間の角度αが０°、４５°、９０°と変化すると、チップアンテナゲインはそれぞれ１．０４ｄＢｉ、−０．０９ｄＢｉ、０．３５ｄＢｉとなる。従って、異なる製品の需要に応じチップアンテナ１４０ｂと接続座１１０ｂとの間の角度αを変更することにより、所望の放射パターンを生成し理想の無線電波範囲を得ることができる。
【００２５】
続いて、チップアンテナを備える装置１００ｂにおいて、チップアンテナ１４０ｂの中心周波数が５ＧＨｚとなる場合、チップアンテナ１４０ｂの放射パターンと角度αとの間の関係について詳細に説明する。以下、図１Ｂに基づいて説明を進める。
図３Ａ、図３Ｂおよび図３Ｃは、本発明の第２実施形態においてチップアンテナ１４０ｂと接続座１１０ｂの底面との間の角度αが０°、４５°または９０°となり、中心周波数が５ＧＨｚとなるとき、ＸＹ平面に生成された放射パターンを示す模式図である。図３Ｄ、図３Ｅおよび図３Ｆは本発明の第２実施形態においてチップアンテナ１４０ｂと接続座１１０ｂの底面との間の角度αが０°、４５°または９０°となり、中心周波数が５ＧＨｚとなるとき、ＸＺ平面に生成された放射パターンを示す模式図である。図３Ｇ、図３Ｈおよび図３Ｉは本発明の第２実施形態においてチップアンテナ１４０ｂと接続座１１０ｂの底面との間の角度αが０°、４５°または９０°となり、中心周波数が５ＧＨｚとなるとき、ＹＺ平面に生成された放射パターンを示す模式図である。
【００２６】
図３Ａから図３Ｉにより、チップアンテナを備える装置１００ｂにおいてチップアンテナ１４０ｂの中心周波数が５ＧＨｚとなるとき、チップアンテナ１４０ｂから生成された放射パターンはチップアンテナ１４０ｂと接続座１１０ｂとの間の角度αの変化にともなって変化する。そして、チップアンテナゲインもチップアンテナ１４０ｂと接続座１１０ｂとの間の角度αの変化にともなって変化することが判明した。
【００２７】
図３Ａから図３Ｃにおいて、チップアンテナ１４０ｂと接続座１１０ｂとの間の角度αが０°、４５°または９０°と変化すると、チップアンテナゲインは、それぞれに２．３７ｄＢｉ、２．７８ｄＢｉ、１．８７ｄＢｉとなる。図３Ｄから図３Ｆにおいて、チップアンテナ１４０ｂと接続座１１０ｂとの間の角度αが０°、４５°、９０°と変化すると、チップアンテナゲインはそれぞれ１．０２ｄＢｉ、２．１６ｄＢｉ、２．６３ｄＢｉとなる。図３Ｇから図３Ｉにおいて、チップアンテナ１４０ｂと接続座１１０ｂとの間の角度αが０°、４５°、９０°と変化すると、チップアンテナゲインはそれぞれ１．６９ｄＢｉ、１．７２ｄＢｉ、０．６４ｄＢｉとなる。従って、異なる製品の必要に応じてチップアンテナ１４０ｂと接続座１１０ｂとの間の角度αを変更することにより所望の放射パターンを生成し理想の無線電波範囲を得ることができる。
【００２８】
次に、図１Ｂに示す第２実施形態によるチップアンテナ１４０ｂの反射損失の周波数応答の概略となるグラフを図４に示す。図４において、縦軸はチップアンテナ１４０ｂの反射損失であり、その単位はｄＢである。横軸は、チップアンテナ１４０ｂの周波数であり、その単位はＧＨｚである。図４からは、チップアンテナ１４０ｂと接続座１１０ｂとの間の角度αがそれぞれ０°、４５°、９０°と変化し、反射損失（Return Loss）が一定の条件下において、チップアンテナ１４０ｂは周波数応答偏移が生成することが判明した。従って、必要に応じてチップアンテナ１４０ｂと接続座１１０ｂとの間の角度αを調整することによって、所望のチップアンテナ１４０ｂの周波数応答特性を得ることができる。
【００２９】
チップアンテナを備える装置１００ｂでは、回路板１３０ｂは接地面（図中未表示）を含んでいる。接地面とチップアンテナ１４０ｂとの間に接続効果を生じさせるため、回路板１３０ｂはチップアンテナ１４０ｂ下方の対応する位置に配置されている。このうち接地面は、チップアンテナ１４０ｂに近い一側または他側に配置される。
【００３０】
接地面の材料は、金属銅などの金属、合金または導電材質などである。チップアンテナ１４０ｂは、誘電材料層および回路を含む。チップアンテナ１４０ｂの基板の材質は誘電材料などであり、回路の材質は金属銅などの金属、合金または導電材質などである。
図５Ａは、図１Ｂに示す第２実施形態によるチップアンテナ装置において、チップアンテナ１４０ｂと接続座１１０ｂとの間の角度を４５°に設定したとき、回路板１３０ｂが接地面を含んでいるか否かによって、チップアンテナ１４０ｂの反射損失の周波数特性を示すグラフである。チップアンテナ１４０ｂと接続座１１０ｂとの間に角度αを形成する場合、回路板１３０ｂ上の接地面とチップアンテナ１４０ｂとの間に誘電体となる空気が存在する。そのため、接地面とチップアンテナ１４０ｂの間には接続効果を生じさせ、チップアンテナ１４０ｂの周波数特性を変化させる。
【００３１】
チップアンテナ１４０ｂと接続座１１０ｂとの間の角度αが０°となる場合でも、回路板１３０ｂ上の接地面とチップアンテナ１４０ｂとの間には空間が存在する。そのため、接続効果が生じる。回路板に対しチップアンテナを平行に配置する周知の技術では、チップアンテナの外部回路に静電容量またはインダクタンスを加えることにより所望の周波数特性に調整する。これに対し、本発明の各実施形態では、チップアンテナ接続装置によりチップアンテナの周波数を容易に調整することができる。
【００３２】
図５Ａに示すように、チップアンテナ１４０ｂと接続座１３０ｂとの間の角度が４５°となり、中心周波数が一致する場合、回路板１３０ｂが接地面を含んでいるときの反射損失は接地面を含んでいない反射損失より強い。また反射損失が一致する条件下で接地面を含んでいる時と接地面を含んでいない時の回路板１３０ｂの中心周波数を比較すると、チップアンテナ１４０ｂの周波数応答偏移が生じる。
【００３３】
図５Ｂは、図１Ｂに示す第２実施形態によるチップアンテナ装置において、チップアンテナ１４０ｂと接続座１１０ｂとの間の角度αを９０°に設定した場合、回路板１３０ｂが接地面を含んでいるか否かによって、チップアンテナ１４０ｂの反射損失の周波数特性を示すグラフである。チップアンテナ１４０ｂと接続座１３０ｂとの間の角度αが９０°であり、中心周波数が一致する場合、回路板１３０ｂが接地面を含んでいるときの反射損失は接地面を含んでいないときの反射損失より強い。反射損失が一致する条件下で接地面を含んでいる時と接地面を含んでいない時の回路板１３０ｂの中心周波数を比較すると、チップアンテナ１４０ｂの周波数応答偏移が生じる。従って、本発明のかく実施形態では周知の技術のように複雑な設計によりチップアンテナ１４０ｂの周波数を調整する必要がないため、製造コストを削減し、製造工程の複雑度を低減させることが可能である。
【００３４】
図６Ａ、図６Ｂおよび図６Ｃは、本発明の第２実施形態において、チップアンテナ１４０ｂと接続座１１０ｂの底面との間の角度αが４５°であり、回路板１３０ｂが接地面を含み、中心周波数が２．４ＧＨｚとなるとき、ＸＹ、ＸＺ、ＹＺなどの平面に生成された放射パターンを示す模式図である。図６Ａと図２Ｂ、図６Ｂと図２Ｅ、図６Ｃと図２Ｈとを比較すると、中心周波数が一致する場合、回路板１３０ｂが接地面を含んでいる時と接地面を含んでいない時とで生成された放射パターンは異なることが分かる。
【００３５】
図７Ａ、図７Ｂおよび図７Ｃは、本発明の第２実施形態において、チップアンテナ１４０ｂと接続座１１０ｂの底面との間の角度αが９０°であり、回路板１３０ｂが接地面を含み、中心周波数が２．４ＧＨｚとなるとき、ＸＹ、ＸＺ、ＹＺなどの平面に生成された放射パターンを示す模式図である。図７Ａと図３Ｂ、図７Ｂと図３Ｅ、図７Ｃと図３Ｈとを比較すると、中心周波数が一致する場合、回路板１３０ｂが接地面を含んでいる時と接地面を含んでいない時とでチップアンテナ１４０ｂから生成された放射パターンは変化することが分かる。
【００３６】
上述の本発明の複数の実施形態の通り、本発明はスロットと接続座とを備えるチップアンテナ接続装置を提供する。チップアンテナ接続装置はチップアンテナを立体化する効果を達成可能である。また、チップアンテナ接続装置は、回路板のチップアンテナに占められる面積を減少させ、チップアンテナ装置の寸法を縮小する目標を達成することが可能である。また当業者が必要に応じ好ましいスロットの形状を設計することによりチップアンテナを調整する自由度を高めることも可能である。
【００３７】
一方、本発明はチップアンテナを備える装置とみなすことが可能である。スロットと連接座の底面との間に角度を有することにより、異なる製品の需要によってチップアンテナから生成された放射パターンに応じてこの角度を調整し、かつチップアンテナの周波数特性を調整することが可能である。また回路板が接地面を含んでいる場合、接地面とチップアンテナとの間の接続効果を高めることが可能である。従って、本発明によるチップアンテナを有する装置はアンテナ回路を設計する際の複雑度と、製造上の困難を低減させ、小型化の目標に達す。
【００３８】
上述したものは本発明の好ましい一例に過ぎず本発明を限定することができないため、当業者が本発明の精神と範疇を逸脱しない限り修飾と変更を加えるのはすべて本発明の請求範囲に属すべきである。
【図面の簡単な説明】
【００３９】
【図１Ａ】本発明の第１実施形態によるチップアンテナ接続装置を示す側面図。
【図１Ｂ】本発明の第２実施形態によるチップアンテナ接続装置を示す側面図。
【図１Ｃ】本発明の第３実施形態によるチップアンテナ接続装置を示す側面図。
【図２Ａ】本発明の第２実施形態によるチップアンテナ接続装置の中心周波数が２．４ＧＨｚとなるときの放射パターンを示す模式図。
【図２Ｂ】本発明の第２実施形態によるチップアンテナ接続装置の中心周波数が２．４ＧＨｚとなるときの放射パターンを示す模式図。
【図２Ｃ】本発明の第２実施形態によるチップアンテナ接続装置の中心周波数が２．４ＧＨｚとなるときの放射パターンを示す模式図。
【図２Ｄ】本発明の第２実施形態によるチップアンテナ接続装置の中心周波数が２．４ＧＨｚとなるときの放射パターンを示す模式図。
【図２Ｅ】本発明の第２実施形態によるチップアンテナ接続装置の中心周波数が２．４ＧＨｚとなるときの放射パターンを示す模式図。
【図２Ｆ】本発明の第２実施形態によるチップアンテナ接続装置の中心周波数が２．４ＧＨｚとなるときの放射パターンを示す模式図。
【図２Ｇ】本発明の第２実施形態によるチップアンテナ接続装置の中心周波数が２．４ＧＨｚとなるときの放射パターンを示す模式図。
【図２Ｈ】本発明の第２実施形態によるチップアンテナ接続装置の中心周波数が２．４ＧＨｚとなるときの放射パターンを示す模式図。
【図２Ｉ】本発明の第２実施形態によるチップアンテナ接続装置の中心周波数が２．４ＧＨｚとなるときの放射パターンを示す模式図。
【図３Ａ】本発明の第２実施形態によるチップアンテナ接続装置の中心周波数が５ＧＨｚとなるときの放射パターンを示す模式図。
【図３Ｂ】本発明の第２実施形態によるチップアンテナ接続装置の中心周波数が５ＧＨｚとなるときの放射パターンを示す模式図。
【図３Ｃ】本発明の第２実施形態によるチップアンテナ接続装置の中心周波数が５ＧＨｚとなるときの放射パターンを示す模式図。
【図３Ｄ】本発明の第２実施形態によるチップアンテナ接続装置の中心周波数が５ＧＨｚとなるときの放射パターンを示す模式図。
【図３Ｅ】本発明の第２実施形態によるチップアンテナ接続装置の中心周波数が５ＧＨｚとなるときの放射パターンを示す模式図。
【図３Ｆ】本発明の第２実施形態によるチップアンテナ接続装置の中心周波数が５ＧＨｚとなるときの放射パターンを示す模式図。
【図３Ｇ】本発明の第２実施形態によるチップアンテナ接続装置の中心周波数が５ＧＨｚとなるときの放射パターンを示す模式図。
【図３Ｈ】本発明の第２実施形態によるチップアンテナ接続装置の中心周波数が５ＧＨｚとなるときの放射パターンを示す模式図。
【図３Ｉ】本発明の第２実施形態によるチップアンテナ接続装置の中心周波数が５ＧＨｚとなるときの放射パターンを示す模式図。
【図４】本発明の第２実施形態によるチップアンテナ接続装置の反射損失の周波数特性を示す模式図。
【図５Ａ】本発明の第２実施形態によるチップアンテナ接続装置において、チップアンテナと接続座との間の角度αが４５°であるときの、チップアンテナの反射損失の周波数特性を示す模式図。
【図５Ｂ】本発明の第２実施形態によるチップアンテナ接続装置において、チップアンテナと接続座との間の角度αが９０°であるときの、チップアンテナの反射損失の周波数特性を示す模式図。
【図６Ａ】本発明の第２実施形態によるチップアンテナ接続装置において、チップアンテナと接続座の底面との間の角度αを４５°であるとき、回路板が接地面を含み、チップアンテナの中心周波数が２．４ＧＨｚとなるときに生成された放射パターンを示す模式図。
【図６Ｂ】本発明の第２実施形態によるチップアンテナ接続装置において、チップアンテナと接続座の底面との間の角度αを４５°であるとき、回路板が接地面を含み、チップアンテナの中心周波数が２．４ＧＨｚとなるときに生成された放射パターンを示す模式図。
【図６Ｃ】本発明の第２実施形態によるチップアンテナ接続装置において、チップアンテナと接続座の底面との間の角度αを４５°であるとき、回路板が接地面を含み、チップアンテナの中心周波数が２．４ＧＨｚとなるときに生成された放射パターンを示す模式図。
【図７Ａ】本発明の第２実施形態によるチップアンテナ接続装置において、チップアンテナと接続座の底面との間の角度αを９０°であるとき、回路板が接地面を含み、チップアンテナの中心周波数が２．４ＧＨｚとなるときに生成された放射パターンを示す模式図。
【図７Ｂ】本発明の第２実施形態によるチップアンテナ接続装置において、チップアンテナと接続座の底面との間の角度αを９０°であるとき、回路板が接地面を含み、チップアンテナの中心周波数が２．４ＧＨｚとなるときに生成された放射パターンを示す模式図。
【図７Ｃ】本発明の第２実施形態によるチップアンテナ接続装置において、チップアンテナと接続座の底面との間の角度αを９０°であるとき、回路板が接地面を含み、チップアンテナの中心周波数が２．４ＧＨｚとなるときに生成された放射パターンを示す模式図。
【符号の説明】
【００４０】
１００a、１００ｂ、１００ｃ：チップアンテナを有する装置、１１０ａ、１１０ｂ、１１０ｃ：接続座、１１２ａ、１１２ｂ、１１２ｃ：接続回路、１１４ａ、１１４ｂ、１１４ｃ：電子ユニット、１１６ａ、１１６ｂ、１１６ｃ：フィーディング、１２０ａ、１２０ｂ、１２０ｃ：スロット、１２２ａ、１２２ｂ、１２２ｃ：接点、１３０ａ、１３０ｂ、１３０ｃ：回路板、１４０ａ、１４０ｂ、１４０ｃ：チップアンテナ、１５０ａ、１５０ｂ、１５０ｃ：チップアンテナ接続装置
【図１Ａ】
2008011333.tif 000003
【図１Ｂ】
2008011333.tif 000004
【図１Ｃ】
2008011333.tif 000005
【図２Ａ】
2008011333.tif 000006
【図２Ｂ】
2008011333.tif 000007
【図２Ｃ】
2008011333.tif 000008
【図２Ｄ】
2008011333.tif 000009
【図２Ｅ】
2008011333.tif 000010
【図２Ｆ】
2008011333.tif 000011
【図２Ｇ】
2008011333.tif 000012
【図２Ｈ】
2008011333.tif 000013
【図２Ｉ】
2008011333.tif 000014
【図３Ａ】
2008011333.tif 000015
【図３Ｂ】
2008011333.tif 000016
【図３Ｃ】
2008011333.tif 000017
【図３Ｄ】
2008011333.tif 000018
【図３Ｅ】
2008011333.tif 000019
【図３Ｆ】
2008011333.tif 000020
【図３Ｇ】
2008011333.tif 000021
【図３Ｈ】
2008011333.tif 000022
【図３Ｉ】
2008011333.tif 000023
【図４】
2008011333.tif 000024
【図５Ａ】
2008011333.tif 000025
【図５Ｂ】
2008011333.tif 000026
【図６Ａ】
2008011333.tif 000027
【図６Ｂ】
2008011333.tif 000028
【図６Ｃ】
2008011333.tif 000029
【図７Ａ】
2008011333.tif 000030
【図７Ｂ】
2008011333.tif 000031
【図７Ｃ】
2008011333.tif 000032